(57)【要約】【課題】自動販売機の機能や用途に無関係の宣伝広告表示手段を付設し、自動販売機を宣伝広告塔として利用する宣伝広告付き自動販売機に提供する。【解決手段】既設の自動販売機の外面には自動販売機の機能等に無関係の各種の宣伝広告表示手段２が一体的又は取り外し可能に設けられている。この宣伝広告表示手段２として各種，多形態の文字や画像からなる宣伝広告表示を連続的に、又はエンドレスに表示すことにより、多くの宣伝広告表示を広範囲に、かつ安価にわたり行うことができる。【選択図】図１
2006092386.tif 000002
【特許請求の範囲】
【請求項１】
宣伝広告表示手段を有する自動販売機であって、該自動販売機は、既設の自動販売機の外面に、前記自動販売機の機能に無関係の内容の任意の宣伝広告表示手段を一体的又は取り外し可能に設けるものからなり、前記宣伝広告表示手段が、電子又は電気手段又は機械的手段によってエンドレスに発信又は表示される多種類，多形態の宣伝広告媒体からなることを特徴とする宣伝広告付き自動販売機。
【請求項２】
前記宣伝広告表示手段が、電子パネルや液晶パネルや有機又は無機ＥＬからなることを特徴とする請求項１に記載の宣伝広告付き自動販売機。
【請求項３】
前記宣伝広告表示手段が、裏面に照明体を有する画像連続フイルムからなり、該画像連続フイルムが電気的及び機械的手段により作動されることを特徴とする請求項１に記載の宣伝広告付き自動販売機。
【発明の詳細な説明】
【技術分野】
【０００１】
本発明は、自動販売機に係り、特に自動販売機の機能と無関係な任意の宣伝広告表示手段を備えてなる宣伝広告付き自動販売機に関する。
【背景技術】
【０００２】
自動販売機としては各種形態のものがあると共に、自動販売機による商品の販売のための各種の機能が付設されるものが多い。例えば、「特許文献１」が挙げられる。また、自動販売機に情報伝送システムを付加したものとして「特許文献２」が挙げられる。
【特許文献１】特開２００３−１２２２８６（図１）
【特許文献２】特開２００３−４４９１８（図１）
【発明の開示】
【発明が解決しようとする課題】
【０００３】
「特許文献１」の特開２００３−１２２２８６号の「広告表示装置」は、自動販売機で販売している商品についての広告を電子表示するものである。また、「特許文献２」の特開２００３−４４９１８号の「自動販売機を介した情報伝送システム」は、自動販売機の機能を利用して個人情報の収集やマーケッテングに必要な情報を収集するシステムを付加したものである。
【０００４】
従来の公知技術や前記の「特許文献１」や「特許文献２」は夫々有益な特徴を有するものであるが、これ等はすべて自動販売機に関係するものや、その機能や機構を使用するものである。
【０００５】
一方、自動販売機は、市町村の殆どすべての場所に設置され、その数も極めて多い。よって、これを宣伝広告塔として利用すると極めて効果的であるが、従来では自動販売機を宣伝広告として利用しているものは殆ど見当らない。例えば、図６に示すように、自動販売機１Ａの表面にポスタ式のラベルを貼付するものもあるが、ラベルは一品料理的のものであり、数多くの、かつ任意の内容や画像を連続的に表示するものは見当らない。
【０００６】
本発明は、以上の事情に鑑みて発明されたものであり、自動販売機を宣伝広告塔として利用し、かつ任意の多種類多形態の宣伝広告を電子電気機械的に表示し、これをエンドレイ又は連続的に表示する宣伝広告付き自動販売機を提供することを目的とする。
【課題を解決するための手段】
【０００７】
本発明は、以上の目的を達成するために、請求項１の発明は、宣伝広告表示手段を有する自動販売機であって、該自動販売機は、既設の自動販売機の外面に、前記自動販売機の機能に無関係の内容の任意の宣伝広告表示手段を一体的又は取り外し可能に設けるものからなり、前記宣伝広告表示手段が、電子又は電気手段又は機械的手段によってエンドレスに発信又は表示される多種類，多形態の宣伝広告媒体からなることを特徴とする。
【０００８】
また、本発明の請求項２の発明は、前記宣伝広告表示手段が、電子パネルや液晶パネルや有機又は無機ＥＬからなることを特徴とする。
【０００９】
また、本発明の請求項３の発明は、前記宣伝広告表示手段が、裏面に照明体を有する画像連続フイルムからなり、該画像連続フイルムが電気的及び機械的手段により作動されることを特徴とする。
【発明の効果】
【００１０】
本発明の請求項１の宣伝広告付き自動販売機によれば、自動販売機の外面に自動販売機の機能に無関係の宣伝広告表示手段を設けることにより多種類，多形態の宣伝広告表示を行うことができ、宣伝広告塔として極めて効果的に、広範囲に利用でき自動販売機の新しい用途開発の１つとなる。
【００１１】
また、請求項２の宣伝広告付き自動販売機によれば、宣伝広告表示手段として電子パネル等が適用されるため、外観美のある数多くの、かつ任意の画像、文字表示を一箇所において連続的に明確に表示することができる。
【００１２】
また、請求項３の宣伝広告付き自動販売機によれば、印刷等によって作成された画像等からなる連続フイルムを背面から照明し、フイルム画像を順次表示でき、電子手段とは異なるより安価な宣伝広告付き自動販売機を提供することができる。
【発明を実施するための最良の形態】
【００１３】
以下、本発明の宣伝広告付き自動販売機の実施の形態を図面を参照して詳述する。図１は宣伝広告表示手段を設けた自動販売機１を示す模式的斜視図である。
【００１４】
自動販売機１は商品を内蔵すると共に各種の制御機構を有する箱体１３と、箱体１３の表面側に設けられる商品見本部１４と、コイン挿入部１５と、商品排出口１６等とからなるが、その詳細構造は公知技術のため説明を省略する。
【００１５】
本発明の主要構成要素である宣伝広告表示手段２は箱体１３の外面（図示では正面と側面）に一体的又は取り外し可能に設けられている。この宣伝広告表示手段２の構造形態については後記するが、基本的には各種の宣伝広告を表示する掲示板的の機能を有するものからなる。但し、その宣伝広告の内容は自動販売機そのものの機能に関係するものではない。
【００１６】
図２は宣伝広告表示手段２の一例を示すものである。この宣伝広告表示手段２ａは電子掲示板の如き形態のものからなる。即ち、多数のＬＥＤ４を縦横に配置した表示部３ａと、このＬＥＤ４を点灯制御するための制御部５等とからなる。制御部５を適宜制御することにより表示部３ａには所望の数多，多種類の宣伝広告表示をエンドレスに行うことができる。
【００１７】
図３は宣伝広告表示手段２ｂとして液晶パネル６を用いたものからなる。この制御部７のコントロールにより、液晶画面に多種，多形態の文字や画像からなる宣伝広告表示を行うことができる。
【００１８】
図４は更に別の宣伝広告表示手段２ｃを示すものである。この宣伝広告表示手段２ｃは、有機又は無機のＥＬを用いたパネル８とその制御部９からなる。前記のものと同じく制御部９のコントロールにより、明確な任意の画像等を表示することができる。
【００１９】
図６は更に別の宣伝広告表示手段を示すものである。このものは、色々の宣伝広告表示のある連続フイルム１０を背面の照明体１１により鮮明表示するものである。なお、この連続フイルム１０は巻き取り手段１２により連続的に巻き取られる。なお、この連続フイルム１０をほかのものと交換することにより、任意の文字や画像からなる宣伝広告表示を安価の手段により行うことができる。また、照明体１１としては公知技術の各種の照明パネルが適用される。
【００２０】
本発明は、前記のように全国の各場所に配置されている自動販売機を宣伝広告塔として応用するものであり、特別の宣伝広告塔を新設することなく、所望の任意の宣伝広告表示を広範囲にわたって実施することができる。
【００２１】
宣伝広告表示手段としては、前記したものの他、各種の公知技術で適用されることは勿論である。
【産業上の利用可能性】
【００２２】
本発明は、宣伝広告表示の表示塔として自動販売機を用いたが、各所に設けられている自動タバコ販売機や、自動商品販売機等の各種の自動販売用の装置に適用され、その利用範囲は広い。
【図面の簡単な説明】
【００２３】
【図１】本発明の宣伝広告付き自動販売機の表面構造を示す模式的斜視図。
【図２】電子機器を用いた本発明の宣伝広告表示手段を示す模式的構成図。
【図３】液晶パネルを用いた本発明の宣伝広告表示手段を示す模式的構成図。
【図４】有機又は無機ＥＬを用いた本発明の宣伝広告表示手段を示す模式的構成図。
【図５】連続フイルムとその照明体とフイルム移動手段を用いた本発明の宣伝広告表示手段を示す模式的構成図。
【図６】従来のラベル式の宣伝広告表示を有する自動販売機を示す模式的平面図。
【符号の説明】
【００２４】
１    自動販売機
２    宣伝広告表示手段
２ａ  宣伝広告表示手段
２ｂ  宣伝広告表示手段
２ｃ  宣伝広告表示手段
３    表示部
４    ＬＥＤ
５    制御部
６    液晶パネル
７    制御部
８    パネル
９    制御部
１０  連続フイルム
１１  照明体
１２  巻き取り手段
１３  箱体
１４  商品見本部
１５  コイン挿入部
１６  商品排出部
【図１】
2006092386.tif 000003
【図２】
2006092386.tif 000004
【図３】
2006092386.tif 000005
【図４】
2006092386.tif 000006
【図５】
2006092386.tif 000007
【図６】
2006092386.tif 000008